(57)【要約】【課題】  現場にて庇屋根を取り付ける作業を少ない工程で容易に行えると共に、庇屋根の下面となる軒天井部と庇屋根の周囲に設ける庇化粧部との一体感が出て見栄えの良い庇屋根ユニットの取付構造を提供する。【解決手段】  建物１の構造材１１から前方に向けて複数の突出梁２を略水平方向に間隔をあけて突設し、庇屋根ユニット３の前面部３２及び両側面部３３となる略コ字状をした庇化粧部３１と、該庇化粧部３１の両側面部３３間に架設される複数の庇梁３４とで庇屋根ユニット３を構成し、前記庇屋根ユニット３の複数の庇梁３４を建物１から突出する複数の突出梁２上に上方から載置して庇化粧部３１の下端が突出梁２の下端よりも下方に位置して軒天井部５の配設スペースが形成されるように取り付ける。【選択図】図１
2007191966.tif 000002
【特許請求の範囲】
【請求項１】
建物の構造材から前方に向けて複数の突出梁を略水平方向に間隔をあけて突設し、庇屋根ユニットの前面部及び両側面部となる略コ字状をした庇化粧部と、該庇化粧部の両側面部間に架設される複数の庇梁とで庇屋根ユニットを構成し、前記庇屋根ユニットの複数の庇梁を建物から突出する複数の突出梁上に上方から載置固定して庇化粧部の下端が突出梁の下端よりも下方に位置して庇化粧部の上下幅内に軒天井部の配設スペースを形成することを特徴とする庇屋根ユニットの取付構造。
【請求項２】
庇梁上に屋根部を取り付けて屋根部付きの庇屋根ユニットを形成して成ることを特徴とする請求項１記載の庇屋根ユニットの取付構造。
【発明の詳細な説明】
【技術分野】
【０００１】
本発明は、庇屋根ユニットの取付構造に関するものである。
【背景技術】
【０００２】
従来より、建物から外方に向けてブラケット及び垂木を突出させると共にブラケット及び垂木に庇屋根を取り付けている（例えば特許文献１参照）。
【０００３】
この特許文献１に示す従来例にあっては、建物の構造材である水平架構体から突出するブラケット及び垂木にて庇屋根を支持するものである。庇屋根は、その上面となる屋根材の野地板をブラケット及び垂木上に載置固定し、庇屋根の下面となる天井板をブラケット及び垂木の下側の野縁受けの下面に固定される野縁の下面に固定し、庇屋根の前端面となる鼻板をブラケット及び垂木の前端面に固定した鼻板下地材に固定し、庇屋根の側面となるケラバ板を垂木の側面等に固定することで構成してある。
【０００４】
このような従来の庇屋根は、野地板、天井板、鼻板、ケラバ板を全て現場施工にて取り付けて構成していたため、現場での作業が多工程となるものであった。そこで、これらを全てまとめてユニット化しておくことが考えられるが、この場合、ユニット化した庇屋根の後端部の開口を前方から後方へ向けて建物から突出するブラケットや垂木に被挿していく必要があり、作業が困難であった。また、上記特許文献１に示す従来例においては鼻板、ケラバ板を庇屋根の周囲の化粧部材としているが、庇屋根の下面となる天井板が鼻板、ケラバ板の下端部よりも下方に位置して鼻板、ケラバ板からなる周囲の化粧部材内に収まりきれず、天井板と庇屋根の周囲の化粧部材との一体感が出ずに見栄えが良くないものであった。
【特許文献１】特開平１１−２２９５４６号公報
【発明の開示】
【発明が解決しようとする課題】
【０００５】
本発明は上記の点に鑑みてなされたものであり、その目的とするところは、現場にて庇屋根を取り付ける作業を少ない工程で容易に行えると共に、庇屋根の下面となる軒天井部と庇屋根の周囲に設ける庇化粧部との一体感が出て見栄えの良い庇屋根ユニットの取付構造を提供することを課題とするものである。
【課題を解決するための手段】
【０００６】
上記課題を解決するために請求項１に係る発明にあっては、建物１の構造材１１から前方に向けて複数の突出梁２を略水平方向に間隔をあけて突設し、庇屋根ユニット３の前面部３２及び両側面部３３となる略コ字状をした庇化粧部３１と、該庇化粧部３１の両側面部３３間に架設される複数の庇梁３４とで庇屋根ユニット３を構成し、前記庇屋根ユニット３の複数の庇梁３４を建物１から突出する複数の突出梁２上に上方から載置固定して庇化粧部３１の下端イが突出梁２の下端ロよりも下方に位置して庇化粧部３１の上下幅内に軒天井部５の配設スペースＳを形成することを特徴とするものである。
【０００７】
このような構成とすることで、庇屋根ユニット３を突出梁２に上方から載置して取り付けることができて、現場での作業を少ない工程で容易に行えると共に、突出梁２上に取り付けた庇屋根ユニット３の突出梁２の下端から庇化粧部３１の下端までの間に軒天井部５の配設スペースＳが形成されるため、この配設スペースＳに軒天井部５を配設することで軒天井部５が庇屋根ユニット３の庇化粧部３１の上下幅内に収まって軒天井部と庇屋根ユニット３との一体感が出て見栄えが良くなるものである。
【０００８】
また、請求項２の発明は、請求項１の発明において、庇梁３４上に屋根部４を取り付けて屋根部４付きの庇屋根ユニット３を形成して成ることを特徴とするものである。
【０００９】
このような構成とすることで、現場で屋根部４を取り付ける作業が不要となって現場での作業がより少ない工程ですむようになる。
【発明の効果】
【００１０】
本発明にあっては、予め庇屋根ユニットを構成しておくことで現場での作業を少ない工程で行うことができると共に、この庇屋根ユニットを突出梁に上方から載置固定することが可能となって作業を容易に行うことができる。更に、突出梁上に取り付けた庇屋根ユニットの突出梁の下端から庇化粧部の下端までの間に軒天井部の配設スペースが形成されるため、この配設スペースに軒天井部を配設することで庇化粧部と軒天井部との一体感が出て見栄えが良くなるものである。
【発明を実施するための最良の形態】
【００１１】
以下、本発明の一実施形態について図面に基づいて説明する。
【００１２】
本発明の庇屋根ユニットの取付構造は、建物１から突出する複数の突出梁２に上方から庇屋根ユニット３を載置固定するものである。
【００１３】
建物１からは、梁や胴差し等の構造材１１から前方（建物の外方）に向けて複数の突出梁２が略水平方向に間隔をあけて突設される（図２参照）。本実施形態では、構造材１１として前方に開口する略コ字状をした胴差し１１ａを設けてあり、この胴差し１１ａに突出梁２を固定してある。胴差し１１ａには、長手方向（即ち略水平方向）に等間隔でスチフナー１２（図２参照）が一つずつ又は二つ一組で形成してあり、このスチフナー１２の側面に突出梁２を固定する。突出梁２は、本実施形態では断面逆Ｌ字状の固定縦片２１及び突出横片２２からなる側面視略Ｌ字状をしたものである。この固定縦片２１は胴差し１１ａ内に収まり、固定縦片２１の上端部付近に設けた上固着孔２１ａと下端部付近に設けた下固着孔２１ｂとをボルト等の固着具によってスチフナー１２に締結して固定する。これにより、建物１から前方に向けて突出梁２が略水平方向に等間隔で突出することになる。またこの時、固定縦片２１の上固着孔２１ａと下固着孔２１ｂとをボルト等の固着具によってスチフナー１２に固定することで突出梁２に掛かる荷重によるモーメントを受けることができる。
【００１４】
庇屋根ユニット３は、庇化粧部３１と庇梁３４とで構成される。庇化粧部３１は、板状の前面部３２及び両側面部３３からなる平面視略コ字状をしたものである（図２参照）。そして、庇化粧部３１の両側面部３３間に複数の庇梁３４を架設してある。本実施形態では、庇梁３４は断面略コ字状をしたチャンネル材からなり、庇化粧部３１の両側面部３３の前半部に前側の庇梁３４ａを断面略コ字状をした開口が後方を向くように設けると共に、庇化粧部３１の両側面部３３の後半部に後側の庇梁３４ｂを断面略コ字状をした開口が前方を向くように設け、計二本の庇梁３４を設けてある。これによって庇屋根ユニット３が構成されるが、庇屋根ユニット３は予め工場等で組み立ててユニット化した状態で現場へ持ち込まれる。
【００１５】
次に、この庇屋根ユニット３の突出梁２への取り付けについて説明する。
【００１６】
突出梁２は上述したように建物１の構造材１１から前方に突出させ、ユニット化した庇屋根ユニット３を現場に持ち込む。次に、図２に示すように庇屋根ユニット３を突出梁２上に上方から載置固定するのであるが、これには複数（本実施形態では二本）の庇梁３４を複数（本実施形態では三本）の突出梁２上に交差するように載置する。ここで、庇屋根ユニット３の左右方向の長さ即ち両側面部３３間の距離を、載置する突出梁２のうちの両端に位置する突出梁２の間の距離よりも長く形成することで、庇屋根ユニット３の載置する左右の位置が（両側面部３３間の距離−両端に位置する突出梁２の間の距離）の範囲で調整自在となる。
【００１７】
そして、断面略コ字状の庇梁３４の下片３５を断面略逆Ｌ字状の突出梁２の突出横片２２の上片２３にボルト・ナットからなる固着具３６にて固着する。この時、庇化粧部３１はその下端イが突出梁２の下端ロよりも下方に位置し、庇化粧部３１の上下幅内に突出梁２が上下にスペースを介して収まるようになっている。前記スペースのうち上側の庇化粧部３１の上端ハと庇梁３４の上端ニとの間のスペースは屋根部４を配設するスペースとなり、下側のスペースは軒天井部５を配設するスペースＳとなる。
【００１８】
屋根部４は、庇梁３４の上片３７上に合板（例えば１２ｍｍ厚）等からなる屋根下地材４１を載置すると共に、屋根下地材４１の上に鋼鈑（例えば０．６ｍｍ厚）等からなる屋根材４２を載置して形成される。屋根下地材４１は、前端部が庇化粧部３１の前面部３２の裏面に当接し、前後の中間部分が前側の庇梁３４ａ及び後側の庇梁３４ｂ上に載置されると共に後端部が後側の庇梁３４ｂの後方にやや突出するように配置される。そして、屋根下地材４１の庇梁３４上に載置された部分を釘等の固着具３８にて庇梁３４の上片３７に固着する。屋根材４２は前端部４２ａを庇化粧部３１の前面部３２の上端部に水密材４３を介してタッピングねじ等からなる固着具４４にて固着し、前後の中間部分を屋根下地材４１上に載置すると共に後端部４５を建物１の外壁面板１３に水密材４６を介して固着して屋根部４の庇屋根ユニット３及び外壁面板１３への取り付けが行われる。更に本実施形態では、屋根材４２の屋根下地材４１よりも後側の部分を折曲して凹段部４７を形成すると共にこの凹段部４７に排水口４８及び排水管４９を設けてあり、屋根材４２上に降った雨水が凹段部４７に流れ込んで排水口４８及び排水管４９より排水されるようにしてある。なお、このような屋根部４は予め庇屋根ユニット３へ取り付けて屋根部付き庇屋根ユニット３としておいてもよく、これによって現場で現場で屋根部４を取り付ける作業が不要となって現場での作業がより少ない工程ですむようになる。
【００１９】
軒天井部５は、突出梁２の下端ロから庇化粧部３１の下端部イまでのスペースＳに配設されるもので、突出梁２の下側に配設される野縁５１と、野縁５１の下側に配設される軒天井５２とで形成される。野縁５１は、その前端部が庇化粧部３１の前面部３２の下端イから軒天井５２の厚み分程度上方に位置する載置部３９に載置されて釘等の固着具５３にて固定され、前後の中間部分は後側の庇梁３４ｂの下片３５に固定した吊り下げ部材６によって吊り下げ支持され、後端部が建物１の外壁面板１３に固定した下部支持部材１４の支持片１５に支持されて釘等の固着具５４にて固着される。そして、野縁５１の下面側に軒天井５２を固定して軒天井部５が形成される。
【００２０】
以上のような構成によれば、予め庇屋根ユニット３を構成しておくことで現場での作業を少ない工程で行うことできると共に、この庇屋根ユニット３を突出梁２に上方から載置固定することが可能となって作業を容易に行うことができる。更に、突出梁２上に取り付けた庇屋根ユニット３の突出梁２の下端から庇化粧部３１の下端までの間に軒天井部５の配設スペースＳが形成されるため、この配設スペースＳに軒天井部５を配設することで庇化粧部３１と軒天井部５との一体感が出て見栄えが良くなるものである。
【図面の簡単な説明】
【００２１】
【図１】本発明の一実施形態の断面図である。
【図２】同上において庇屋根ユニットの突出梁への取り付けを説明する斜視図である。
【符号の説明】
【００２２】
１    建物
１１  構造材
２    突出梁
３    庇屋根ユニット
３１  庇化粧部
３２  前面部
３３  側面部
３４  庇梁
４    屋根部
５    軒天井部
【図１】
2007191966.tif 000003
【図２】
2007191966.tif 000004